(57)【要約】      （修正有）【課題】所望の切断面（分割線）で切断することによって、オリジナリティー性の高いペンダントを提供する。【解決手段】ペンダント１００は、所望の分割線に基づいて２個以上に分割された複数の分割部１１，１２を有し、複数の分割部１１，１２を一体とした場合に、一体形成による装飾効果を有する、ことを特徴とする。【選択図】図１
0003203025.tif 000002
【実用新案登録請求の範囲】
【請求項１】
所望の分割線に基づいて２個以上に分割された複数の分割部を有し、
複数の前記分割部を一体とした場合に、一体形成による装飾効果を有する、
ことを特徴とするペンダント。
【請求項２】
前記一体形成は、多角形、楕円又は円形の形状を成し、
複数の前記分割部は、２つ又は３つ以上である、ことを特徴とする請求項１に記載のペンダント。
【請求項３】
前記分割線に沿って糸鋸で分割した、ことを特徴とする請求項１又は請求項２に記載のペンダント。
【考案の詳細な説明】
【技術分野】
【０００１】
本考案は、宝飾品であるペンダントに関する。本考案は、分割した状態及び一体となった状態のいずれにおいても使用し得るペンダントに関する。
【背景技術】
【０００２】
ペンダントは１個の単一部品によって構成され、単一部品に対し鎖又は紐を挿通することによって、身体の前面を装飾する機能を果たしていた。
特許文献１には、２個以上の分割部分を有し、各分割部分がそれぞれ固有の装飾効果を有すると共に、各分割部分を一体とした場合には、当該一体形成による装飾効果を有することができる分割タイプのペンダントに関する技術を開示している。
特許文献２には、ペンダントを所定の分割線に沿って２以上に分割した形態をなし、分割線において互いに組み合わせた状態では１個のペンダントの形状を形作る２以上の分割状部と、その各分割状部にそれぞれチェーンを連結するために、各分割状部にそれぞれ一体的に形成された連結部とを含むペアペンダントに関する技術を開示している。
【先行技術文献】
【特許文献】
【０００３】
【特許文献１】特開２００２−１３６３１号公報
【特許文献２】特開平１１−２０６４２７号公報
【考案の概要】
【考案が解決しようとする課題】
【０００４】
しかしながら、特許文献１及び特許文献２には、３つ以上に分割したペンダントに関する具体的な記載がない。また、特許文献１及び特許文献２に開示されている技術には、ノコギリなどで所望の切断面（分割線）で切断することによって、オリジナリティー性を向上するペンダントに関する記載がない。更に、特許文献１及び特許文献２には、例えば同じデザインのものをつけている人が他にいたとしても、切断円が一致するのは世界に１つだけしか存在しないというオリジナリティー性に関する記載がない。
【０００５】
本考案は、所望の切断面（分割線）で切断することによって、オリジナリティー性の高いペンダントを提供することを目的とする。
【課題を解決するための手段】
【０００６】
上記課題を解決するために、本考案の一つの実施形態は、所望の分割線に基づいて２個以上に分割された複数の分割部を有し、複数の前記分割部を一体とした場合に、一体形成による装飾効果を有する、ことを特徴とするペンダントを提供する。
【０００７】
本考案の他の実施形態は、上記のペンダントであって、前記一体形成は、多角形、楕円又は円形の形状を成し、複数の前記分割部は、２つ又は３つ以上である、ことを特徴とするペンダントであってもよい。
【０００８】
本考案の他の実施形態は、上記のペンダントであって、前記分割線に沿って糸鋸で分割した、ことを特徴とするペンダントであってもよい。
【考案の効果】
【０００９】
本考案に係るペンダントによれば、所望の切断面（分割線）で切断することによって、オリジナリティー性を向上することができる。
【図面の簡単な説明】
【００１０】
【図１】本考案の実施形態に係るペンダントの一例を説明する説明図である。
【図２】本考案の実施形態に係るペンダントの２分割の例を説明する説明図である。
【図３】本考案の実施形態に係るペンダントの３分割の例を説明する説明図である。
【図４】本考案の実施形態に係るペンダントの４分割の例を説明する説明図である。
【考案を実施するための形態】
【００１１】
実施形態に係るペンダントの例を用いて、本考案を説明する。なお、本考案は、以後に説明するペンダント以外でも、分割した状態及び一体となった状態のいずれにおいても使用し得るペンダントに関するもの（装飾品、宝飾品、飾り、ネックレスなど）であれば、いずれのものにも用いることができる。なお、ペンダントの素材、色、形状は、特に限定されない。ペンダントの素材、色、形状は、例えば使用者（消費者）の趣味趣向に合わせた材質、柄や形状のものであってもよい。
【００１２】
以後に、本考案を説明する。
【００１３】
図１乃至図４を用いて、本考案の実施形態に係るペンダントの構成を説明する。ここで、図１は、本考案の実施形態に係るペンダントの一例を説明する説明図である。図２は、本考案の実施形態に係るペンダントの２分割の例を説明する説明図である。図３は、本考案の実施形態に係るペンダントの３分割の例を説明する説明図である。図４は、本考案の実施形態に係るペンダントの４分割の例を説明する説明図である。
【００１４】
なお、図１等に示すペンダントの構成等は一例であり、本考案は図１等に示すペンダント等に限定されるものではない。
【００１５】
図１に示すように、本考案に係るペンダント１００は、所望の分割線（切断面１１ａ、１２ａ）に基づいて、２個以上に分割された複数の分割部（１１、１２）を有する。ペンダント１００は、穴部（１１ｂ，１２ｂ）にチェーンや紐（２０）などを挿入する。本考案に係るペンダント１００は、複数の分割部（１１、１２）を一体とした場合に、一体形成による装飾効果を有する。また、本考案に係るペンダント１００は、複数の分割部（１１、１２）のそれぞれを単体とした場合に、単体でも装飾効果を有する。
【００１６】
すなわち、本考案に係るペンダント１００は、使用者が任意の切断面（分割線）で一体形成のペンダントを切断することによって、他に同一の切断面（分割線）が存在しないオリジナリティー性の高いペンダントとすることができる。なお、ペンダントの使用者は、例えば糸鋸やノコギリ又はその他切断手段を用いて、切断面（分割線）を手作業で切断し、所望の数に分割したペンダントを製造することができる。また、ペンダントの使用者は、切断面（分割線）として、規則的若しくは不規則な曲線又は折れ線で形成された面（線）とすることができる。
【００１７】
図２に示すように、本考案に係るペンダント１００Ａは、所望の分割線３０Ａに基づいて、２個に分割された分割部の例である。ペンダント１００Ａは、例えばカップルや夫婦などで共有することができる。これにより、本考案に係るペンダント１００Ａによれば、自分たちだけのペンダントという実感の得られる対をなすペンダントとすることができる。なお、図２に示す２分割の例は一例であり、本考案は図２に示す分割線に限定されるものではない。
【００１８】
図３に示すように、本考案に係るペンダント１００Ｂは、所望の分割線３０Ｂに基づいて、３個に分割された分割部の例である。ペンダント１００Ａは、例えば友達や兄弟などで共有することができる。なお、図３に示す３分割の例は一例であり、本考案は図３に示す分割線に限定されるものではない。
【００１９】
図４に示すように、本考案に係るペンダント１００Ｃは、所望の分割線３０Ｃに基づいて、４個に分割された分割部の例である。ペンダント１００Ａは、例えば家族やチームなどで共有することができる。なお、図４に示す４分割の例は一例であり、本考案は図４に示す分割線に限定されるものではない。
【００２０】
以上のとおり、本考案に係るペンダントによれば、所望の切断面（分割線）で切断することができるので、世界に１つしかないオリジナリティー性の高いペンダントとすることができる。また、本考案に係るペンダントによれば、使用者が任意の切断面（分割線）で一体形成のペンダントを切断することができるので、他に同一の切断面（分割線）が存在しないオリジナリティー性の高いペンダントを容易に製造することができる。
【００２１】
また、本考案に係るペンダントによれば、ファッション的にも発展性があり、かつ、高度な技術を必要とせず、安価に製造することができる。更に、本考案に係るペンダントによれば、ファッション性を犠牲にすることなく、かつ、所望の切断面（分割線）を個性として表現することで斬新なデザインとすることができる。
【００２２】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２３】
１００，１００Ａ，１００Ｂ，１００Ｃ  ：  ペンダント
１１，１２  ：  分割部
１１ａ，１２ａ  ：  切断面
１１ｂ，１２ｂ  ：  穴部
２０  ：  チェーン，紐
３０Ａ，３０Ｂ，３０Ｃ  ：  分割線
【図１】
0003203025.tif 000003
【図２】
0003203025.tif 000004
【図３】
0003203025.tif 000005
【図４】
0003203025.tif 000006